(57)【要約】【課題】  必要情報は折畳み完成時の露出部分に表現でき、多量の関連情報は折畳みシートに表現でき、名刺が剥がれることを心配することなく、外観上の体裁が良く、折畳み展開動作を容易にし、折畳み状態が片手に収まるほどにコンパクトとなり、誰にでも取扱い易く、構成簡素で、量産に適し、経済的である折畳み展開可能な名刺を提供する。【解決手段】  複数のシート片５を谷折り線３や山折り線４を介して縦横に連設すると共に、複数のシート片５が略重合状に折畳み、展開自在となるよう形成した折畳みシート２と、折畳み完成時の露出部分１からなり、該露出部分１には、名刺としての必要情報を印刷し、折畳みシート２の表面や裏面には、会社案内、商品案内、広告等の適宜関連情報を印刷して構成する。【選択図】図１
0003108597.tif 000002
【実用新案登録請求の範囲】
【請求項１】
複数のシート片を谷折り線や山折り線を介して縦横に連設されると共に、複数のシート片が略重合状に折畳み、展開自在となるよう形成される折畳みシートからなり、折畳み完成時の露出部には、名刺としての必要情報を印刷し、その他の折畳みシートの表面や裏面には、会社案内、商品案内、広告等の適宜関連情報を印刷して構成したことを特徴とする折畳み展開可能な名刺。
【考案の詳細な説明】
【技術分野】
【０００１】
本考案は、名刺としての必要情報は勿論のこと、例えば、会社案内や、商品案内や、広告等の多量の関連情報をも表現できるように工夫した折畳み展開可能な名刺に関するものである。
【背景技術】
【０００２】
一般的な名刺は、例えば、その表面や裏面に、会社名、住所、氏名、部署名、役職名、電話番号、ＦＡＸ番号、メールアドレス等の必要情報が印刷されている。
【０００３】
そして、前述のような一枚の名刺では、表現できる情報の量が少ないため、例えば、特許文献１に示すような名刺等が提案されるようになった。
【０００４】
特許文献１は、少なくとも一方面に所定の広告等が印刷されると共に、かつ折畳まれたカタログであって、該カタログが折畳まれた状態で露出する表面の所定箇所に名刺等を貼付けするための添付部を設け、この添付部に該カタログ部と同じ面積の名刺を張付けたものが考案されている。
【０００５】
【特許文献１】実用新案登録第３０４０７２３号公報
【考案の開示】
【考案が解決しようとする課題】
【０００６】
ところが、前述の特許文献１において考案されている名刺にあっては、カタログが折畳まれた状態で露出する表面に名刺を張付けて構成されているため、コスト高となる難点があった。
【０００７】
また、名刺が、剥がれやすいという難点を生じることがあった。
【０００８】
加えて、ポケットに収納する際、名刺片の固い角等が、ポケットに引っかかる等を起こし、よりよい収納を妨げることもあった。
【０００９】
そこで、本考案は、前述の如き課題を解消し、名刺を張付けることなく、折畳み完成時の露出部分に名刺を印刷することで、ローコストを実現し、且つ名刺が剥がれるという心配を解消し、折畳み状態はコンパクトになり、収納にも不便なく、外観上の体裁も良く、取扱い易く、しかも、構成が簡素で、量産に適した、折畳み展開可能な名刺を提供できるようにすべく案出されたものである。
【課題を解決するための手段】
【００１０】
しかして、請求項１記載の折畳み展開可能な名刺にあっては、複数のシート片５を谷折り線３や山折り線４を介して縦横に連設されると共に、複数のシート片５が略重合状に折畳み、展開自在となるよう形成される折畳みシート２と、折畳み完成時の露出部分１の表面には、名刺としての必要情報を印刷し、折畳みシート２の表面や裏面には、会社案内、商品案内、広告等の適宜関連情報を印刷して構成する手段を採用した。
【考案の効果】
【００１１】
従って、請求項１記載の折畳み展開可能な名刺によれば、名刺としての必要情報は折畳み完成時の露出部分１に表現でき、会社案内や、商品案内や、広告等の多量の関連情報は折畳みシート２に表現できるようになり、インパクトのある名刺となる。しかも、名刺自体の構成が簡素で、名刺が剥がれることを心配することなく、収納に適し、ローコストを実現し、量産に適したものとなる。
【００１２】
特に、折畳み状態は片手に収まるほどにコンパクトとなり、持ちやすく、外観上の体裁も良いものとなる。
【考案を実施するための最良の形態】
【００１３】
以下、本考案を図示例に基づいて説明すると、次の通りである。
本考案は、例えば、名刺としての必要情報が表示されている名刺の機能と、会社案内や、商品案内や、広告等の多量の関連情報が表示されているパンフレット等としての機能とを備えた折畳み展開可能な名刺である。
【００１４】
そして、この名刺は、複数の略矩形状（例えば、平行四辺形状、台形状、或いは長方形状）を呈するシート片５を谷折り線３や山折り線４を介して縦横に連設されると共に、複数のシート片５が略重合状に折畳み、展開自在となるよう形成され、且つ展開状態が略矩形状を呈する折畳みシート２で構成されている。
【００１５】
更に、折畳み完成時の露出部分１（表面或いは裏面或いは表裏面）には、例えば、会社名、住所、氏名、部署名、役職名、電話番号、ＦＡＸ番号、メールアドレス等の名刺としての必要情報を印刷し、折畳みシート２のその他の表面や裏面には、例えば、会社案内、商品案内、広告等の適宜関連情報を印刷してある。すなわち、多量の関連情報を小さく折畳める名刺に付加できるよう構成されたものである。
【実施例】
【００１６】
本考案のシートは、例えば、適宜紙材や、適宜合成樹脂製シート材や、或いは、これらの複合材等によって、全体略矩形状（或いは、その他の形状でも良い）に形成され、しかも、この折畳みシート２に複数の谷折り線３と山折り線４とを略縦横方向に沿って適宜配することで、複数のシート片５が形成され、このシート片５夫々が重なるように折畳め、更に、この折畳み状態からスムーズに展開状態に移行できるよう構成されている。
【００１７】
また、折畳み完成時の露出部分１に印刷される必要情報としては、該露出部分１の夫々に同じ必要情報を印刷しても良いし、或いは、該露出部分１の夫々異なる必要情報を印刷しても良い。
【００１８】
前記折畳みシート２は、例えば、適宜紙材や、適宜合成樹脂製シート材や、或いは、これらの複合材等によって、全体略矩形状（或いは、その他の形状でも良い）に形成され、しかも、この折畳みシート２に複数の谷折り線３と山折り線４とを略縦横方向に沿って適宜配することで、複数のシート片５が形成され、このシート片５夫々が重なるように折畳め、更に、この折畳み状態からスムーズに展開状態に移行できるよう構成されている。
【００１９】
尚、本考案の折畳み展開可能な名刺の具体的構成、形状、寸法、材質、折畳み完成時の露出部分１の具体的構成、形状、寸法、材質、折畳みシート２への配置状態、具体的な関連情報の内容、折畳みシート２の具体的構成、形状、寸法、材質、具体的な折畳み手段、具体的な関連情報の内容、谷折り線３の具体的構成、形状、寸法、配設位置、数、山折り線４の具体的構成、形状、寸法、配設位置、数、シート片５の具体的構成、形状、寸法、材質、配設位置、数等は図示例のもの等に限定されることなく、適宜自由に設定、変更できるものである。
【図面の簡単な説明】
【００２０】
【図１】本考案の折畳み展開可能な名刺を例示する展開図である。
【図２】本考案の折畳み展開可能な名刺を例示する折畳み状態の斜視図である。
【符号の説明】
【００２１】
１    折畳み完成時露出部分
２    折畳みシート
３    谷折り線
４    山折り線
５    シート片
【図１】
0003108597.tif 000003
【図２】
0003108597.tif 000004